(57)【特許請求の範囲】
【請求項１】
木炭等の吸着材を収納する収納体と、該収納体を建物の構成部材に吊下する吊下部とを備えた建物用吸着装置において、
上記収納体を、上開放の開口を有した箱状に形成し、上記収納体に多数の小孔を設け、
上記吊下部を剛性部材で構成し、該吊下部を収納体に連結される棒状部材で構成したことを特徴とする建物用吸着装置。
【請求項２】
木炭等の吸着材を収納する収納体と、該収納体を建物の構成部材に吊下する吊下部とを備えた建物用吸着装置において、
上記収納体を、上開放の開口を有した箱状に形成し、上記収納体に多数の小孔を設け、
上記吊下部をコイルスプリングで構成したことを特徴とする建物用吸着装置。
【請求項３】
上記収納体を木製板で形成したことを特徴とする請求項１または２記載の建物用吸着装置。
【請求項４】
建物の外壁に対応して地面に立設されるコンクリート製の枠状の外側基礎に設けられる床板の下側の床下空間を略密閉状態にし、上記外壁に上記床下空間に連通する連通路を形成して該床下空間の空気を上記連通路に流通可能にするとともに、上記床下空間に木炭等の吸着材が収納された吸着装置を配設した建物の床下構造において、
上記外側基礎で囲繞される床下空間の面積の７０％以上を連通状態にし、該連通状態の床下空間に対応する床板を柱状の多数の束で支持し、上記床板に多数の通孔を形成し、上記吸着装置を上記床板に吊下し、
上記吸着装置を、木炭等の吸着材を収納する収納体と、該収納体を建物の構成部材に吊下する吊下部とを備えて構成するとともに、上記収納体を、上開放の開口を有した箱状に形成し、上記収納体に多数の小孔を設け、上記吊下部を剛性部材で構成し、該吊下部を収納体に連結される棒状部材で構成したことを特徴とする建物の床下構造。
【請求項５】
建物の外壁に対応して地面に立設されるコンクリート製の枠状の外側基礎に設けられる床板の下側の床下空間を略密閉状態にし、上記外壁に上記床下空間に連通する連通路を形成して該床下空間の空気を上記連通路に流通可能にするとともに、上記床下空間に木炭等の吸着材が収納された吸着装置を配設した建物の床下構造において、
上記外側基礎で囲繞される床下空間の面積の７０％以上を連通状態にし、該連通状態の床下空間に対応する床板を柱状の多数の束で支持し、上記床板に多数の通孔を形成し、上記吸着装置を上記床板に吊下し、
上記吸着装置を、木炭等の吸着材を収納する収納体と、該収納体を建物の構成部材に吊下する吊下部とを備えて構成するとともに、上記収納体を、上開放の開口を有した箱状に形成し、上記収納体に多数の小孔を設け、上記吊下部をコイルスプリングで構成したことを特徴とする建物の床下構造。
【請求項６】
上記床下空間の地面に上記外側基礎に連続するコンクリート製地盤を形成したことを特徴とする請求項４または５記載の建物の床下構造。
【発明の詳細な説明】
【０００１】
【発明の属する技術分野】
本発明は、建物の床下等に配設され湿気や臭気等の悪性成分を吸着するとともにマイナスイオンを発生する建物用吸着装置に関するとともに、このような吸着装置を配設した建物の床下構造に関する。
【０００２】
【従来の技術】
従来、この種の建物用吸着装置を用いた建物の床下構造としては、例えば、特開平９−２３９２２９号公報に掲載されているものが知られている。これは、図８に示すように、建物１の外壁２に対応して地面に立設されるコンクリート製の外側基礎３に土台を介して床板４を設け、この床板４の下側の床下空間Ｓにおいて吸着装置Ｋを配設している。
吸着装置Ｋは、木炭とゼオライトとからなる吸着材Ｋａを収納する全体が通気性材料で形成された収納体としての袋５と、この袋５の上部で構成され建物１の構成部材に吊下する吊下部６とを備えて構成されている。そして、この吸着装置Ｋは、吊下部６を釘等で床下の大引き７に係止することで、多数が吊下されている。これにより、建物用吸着装置Ｋにおいて、袋５内部の吸着材Ｋａにより、種々の悪性成分を吸着して、調湿，防臭，除菌，防虫等の機能を発揮させている。また、床板４の振動により、吸着材Ｋａ同士が擦れ合うと、マイナスイオンを発生し、これが、雰囲気を改良し上記の機能の補足がなされるという作用も奏する。
【０００３】
【発明が解決しようとする課題】
ところで、このような従来の建物の床下構造にあっては、建物用吸着装置Ｋにおいて、袋５内部の吸着材Ｋａにより、種々の悪性成分が吸着されるので、調湿，防臭，除菌，防虫等の効果があるが、吸着材Ｋａが袋５に覆われているので、空気が袋５を通過しないと吸着材Ｋａに接触しないことから、それだけ、接触効率が悪く、吸着効率が劣るという問題があった。
また、床板４の振動が伝わっても吸着材Ｋａは袋５に覆われているので、吸着材Ｋａ同士が袋５で拘束されて擦れ合いにくく、そのため、マイナスイオンの発生効率が劣るという問題があった。
【０００４】
更に、このような従来の建物の床下構造にあっては、床下で改善された雰囲気を建物内部に利用することを行なっていないので、それだけ、効率が悪いということがある。そのため、例えば、図９に示すように、外側基礎３と床板４の下側の床下空間Ｓを略密閉状態にし、外壁２に床下空間Ｓに連通する連通路８を形成して床下空間Ｓの空気を連通路８にファン等で強制的に流通させて循環させる従来周知の建物構造を用い（例えば、特開２００１−１３２１２３号公報掲載）、改善された雰囲気の利用を図ることが考えられる。しかしながら、図１０に示すように、一般に、建物１の基礎は、上記の外側基礎３だけでなく、部屋割りに応じた内側基礎９もあり、そのため、床下空間Ｓが細かく区画されているので、それだけ流通が悪く、必ずしも、充分に改善された雰囲気を取り込むことができないという欠点がある。また、流通が悪い分吸着材Ｋａとの接触効率が悪く、吸着効率が劣る問題が助長される。
尚、従来においては、例えば、図９に示す上記の床下構造において、吸着材Ｋａを直接床下空間Ｓの地面に敷設する技術もあるが、地面に敷設されるので、上記の吊下する場合に比較して、空気との接触が悪く、また、振動が伝達されて吸着材Ｋａ同士が擦れ合ってマイナスイオンを発生する作用は到底期待できない。
【０００５】
本発明は上記の問題点に鑑みて為されたもので、吸着材の空気との接触効率を良くし、吸着効率を向上させて調湿，防臭，除菌，防虫等の効果の向上を図った建物用吸着装置及び建物の床下構造を提供することを目的とする。
また、建物の床下構造においては、上記の目的に加えて床下空間の空気の流通を良くして改善された雰囲気を効率良く建物内部に取り込むことができるようにするとともに、より一層吸着効率の向上を図る点も課題とした。
【０００６】
【課題を解決するための手段】
このような目的を達成するため、本発明の建物用吸着装置は、木炭等の吸着材を収納する収納体と、該収納体を建物の構成部材に吊下する吊下部とを備えた建物用吸着装置において、上記収納体を、上開放の開口を有した箱状に形成した構成としている。
これにより、空気が収納体の開口を通って木炭等の吸着材に接触し、空気中の悪性成分が吸着材に吸着し、調湿，防臭，除菌，防虫等の機能が発揮させられる。また、建物の構成部材からの振動が吊下部を介して収納体に伝達され、これにより、吸着材同士が擦れ合ってマイナスイオンが発生し、このマイナスイオンによって雰囲気が改良され、調湿，防臭，除菌，防虫等の機能の補足が行なわれる。この場合、開口があるので、空気の出入りが円滑に行なわれ、吸着材に対する接触効率が良くなって吸着効率が向上させられ、調湿，防臭，除菌，防虫等の機能が十二分に発揮させられる。
【０００７】
そして、必要に応じ、上記収納体に多数の小孔を設けた構成としている。多数の小孔を通して良く空気が流通することから、吸着材に対する接触効率が良くなり、吸着効率が向上させられる。
また、必要に応じ、上記収納体を木製板で形成した構成としている。木製板そのものも吸着材までは行かずとも少なからず同様の機能を発揮することができ、それだけ、吸着効率が向上させられる。
更に、必要に応じ、上記吊下部を剛性部材で構成している。建物の構成部材の振動が直接的に伝達され、そのため、振動が確実に伝達されることから吸着材が互いに良く擦れ合うことができるようになり、より一層、マイナスイオンの発生効率が向上させられる。
この場合、上記吊下部を収納体に連結される棒状部材で構成したことが有効である。構造を簡単にして取付を容易にし、振動の伝達も確実にすることができる。
更にまた、必要に応じ、上記吊下部をコイルスプリングで構成している。建物の構成部材からの振動により、コイルスプリングが上下に伸縮することになり、収納体が上下に良く動くことになるので、それだけ、相対的に収納体に良く空気が流通することになり、吸着材に対する接触効率が向上させられる。また、収納体が上下に良く動くことになるので、吸着材が互いに良く擦れ合うことができるようになり、より一層、マイナスイオンの発生効率が向上させられる。
【０００８】
また、このような目的を達成するため、本発明の建物の床下構造によれば、建物の外壁に対応して地面に立設されるコンクリート製の枠状の外側基礎に設けられる床板の下側の床下空間を略密閉状態にし、上記外壁に上記床下空間に連通する連通路を形成して該床下空間の空気を上記連通路に流通可能にするとともに、上記床下空間に木炭等の吸着材が収納された吸着装置を配設した建物の床下構造において、上記外側基礎で囲繞される床下空間の面積の７０％以上を連通状態にし、該連通状態の床下空間に対応する床板を柱状の多数の束で支持した構成としている。７０％に満たないと充分な流通が図りにくい。望ましくは、床下空間の面積の１００％を連通状態にすることであるが、強度や水等の使用環境の関係上、一部に内側基礎で区画した部位があって良い。
これにより、床下において、空気が木炭等の吸着材に接触し、空気中の悪性成分が吸着材に吸着し、調湿，防臭，除菌，防虫等の機能が発揮させられる。
この場合、外側基礎で囲繞される床下空間の面積の７０％以上が連通状態になっており、この床下空間で床板を支持するのは柱状の束なので、従来のように内側基礎によって床下空間が細かく区画されていないことから、それだけ空気の流通が良くなって改善された雰囲気が縦横に行き来し、それだけ、吸着材への空気の接触効率が良くなり、吸着効率が向上させられる。また、改善された雰囲気が縦横に行き来することから、充分に改善された雰囲気が内部に取り込まれる。
【０００９】
そして、必要に応じ、上記床板に多数の通孔を形成した構成としている。この通孔からも改善された雰囲気が内部に侵入でき、それだけ、充分に改善された雰囲気が内部に取り込まれる。
また、必要に応じ、上記吸着装置を上記床板に吊下した構成としている。床下において、空気の接触効率が良くなり、より一層、調湿，防臭，除菌，防虫等の機能が発揮させられる。また、建物の床板からの振動が直接伝達されるので、これにより、吸着材同士を効率よく擦れ合わせてマイナスイオンを発生せしめ、このマイナスイオンによって雰囲気を改良し、調湿，防臭，除菌，防虫等の機能の補足を行なうことができる。
更に、必要に応じ、上記床下空間の地面に上記外側基礎に連続するコンクリート製地盤を形成した構成としている。それだけ、床下空間の密閉性が良く、漏れがほとんどないことから、この点でも、充分に改善された雰囲気を内部に取り込むことができるようになる。
また、必要に応じ、上記吸着装置を、木炭等の吸着材を収納する収納体と、該収納体を建物の構成部材に吊下する吊下部とを備えて構成し、上記収納体を、上開放の開口を有した箱状に形成し、該収納体に多数の小孔を設けた構成としている。これにより、開口があるので、空気の出入りが円滑に行なわれ、吸着材に対する接触効率が良くなって吸着効率が向上させられ、調湿，防臭，除菌，防虫等の機能が十二分に発揮させられる。また、多数の小孔を通して良く空気が流通することから、吸着材に対する接触効率が良くなり、吸着効率が向上させられる。
【００１０】
【発明の実施の形態】
以下、添付図面に基づいて、本発明の実施の形態に係る建物用吸着装置及び建物の床下構造について詳細に説明する。尚、上記と同様のものには同一の符号を付して説明する。
図１乃至図６には、本発明の実施の形態に係る建物用吸着装置及び建物の床下構造を示している。
先ず、本発明の実施の形態に係る建物用吸着装置Ｋについて説明する。この建物用吸着装置Ｋは、主に図２及び図３に示すように、木炭等の吸着材Ｋａを収納する収納体１０と、収納体１０を建物１の構成部材に吊下する吊下部１１とを備えて構成されている。吸着材Ｋａとしては、木炭を初め、トルマリン等の鉱物やセラミックス等適宜のものが用いられる。
木炭の例を挙げれば、例えば、なら，松，杉を原料とする木炭をブレンドしたものを用いる。
収納体１０は、木製板で形成されており、上開放の開口１２を有した直方体の箱状に形成され、その底壁及び側壁には多数の小孔１３が設けられている。
また、吊下部１１は剛性部材で構成されている。詳しくは、吊下部１１は収納体１０に連結される棒状部材１４で構成され、一端に収納体１０の開口１２の中央に架設される架設棒１５を備え、他端にビス１６で構成部材に取付けられる取付け板１７を備えている。
【００１１】
次に、本発明の実施の形態に係る建物用吸着装置Ｋが用いられる本発明の実施の形態に係る建物の床下構造を説明する。
図１，図４乃至図６に示すように、この建物１の床下構造は、建物１の外壁２に対応して地面に立設されるコンクリート製の枠状の外側基礎３を備え、この外側基礎３に床板４が設けられてその下側に床下空間Ｓを形成している。床下空間Ｓの地面には外側基礎３に連続するコンクリート製地盤２０が形成され、コンクリート製地盤２０と外側基礎３とで全体がプール状に形成されている。また、コンクリート製地盤２０と外側基礎３の下側は一般地面（ＧＬ）下に設けられている。これにより、床板４の下側の床下空間Ｓは、略密閉状態に形成されている。
また、図４に示すように、外壁２には、床下空間Ｓに連通する連通路８が形成されており、床下空間Ｓの空気が連通路８に流通可能になっている。そして、例えば、ファン等を用いて連通路８の空気を循環させたり、室内に吹き出すようにし、夏期には外気より冷たい床下の空気により室内を冷やし、冬期には、外気より暖かい床下の空気により冷やされ過ぎないようにして、冷暖房効率の向上を図るようにしている。
【００１２】
また、図５に示すように、外側基礎３で囲繞される床下空間Ｓの面積の７０％以上を連通状態にしている。７０％に満たないと充分な流通が図りにくい。望ましくは、床下空間Ｓの面積の１００％を連通状態にすることであるが、強度や水等の使用環境の関係上、例えば、図５に示すように、浴室２１，トイレ２２に対応する部位は、内側基礎９で区画し、その他の床下空間Ｓを連通状態にしている。即ち、部屋割りに対応した内側基礎９は、浴室２１やトイレ２２等の特定の部位に限り設けられているだけで、他は設けられていない。２３は外側基礎３の内側に所要の間隔で設けられる複数の補強壁である。２４は玄関である。
そして、連通状態の床下空間Ｓに対応する床板４は、柱状の多数の束２５で支持されている。図５に示すように、束２５は等間隔で行列状に配置されている。束２５の下端は地盤２０に埋設されたスタッド金具２６に固定されている。束２５の上端には大引き７が架設されており、この大引き７及び外側基礎３に設けられた土台２７上に床板４が付設されている。
【００１３】
更に、床板４には多数の通孔２８が形成されている。床板４には、畳等の内装材２９が敷設される。
また、床下空間Ｓには、木炭等の吸着材Ｋａが収納された実施の形態に係る上記の吸着装置Ｋが配設されている。吸着装置Ｋは、床板４に吊下されている。詳しくは、図３に示すように、吸着装置Ｋの吊下部１１の取付け板１７が構成部材としての床板４の裏面にビス１６で取付けられることにより、床板４に吊下されている。吸着装置Ｋは、束２５の間に臨むよう例えば行列状に複数設けられている。
【００１４】
従って、この実施の形態に係る建物用吸着装置Ｋを用いた建物の床下構造によれば、以下のように作用をする。
床下空間Ｓにおいては、空気が外壁２の連通路８を通って流通させられている。この状態において、建物用吸着装置Ｋにおいては、図２及び図３に示すように、空気が収納体１０の開口１２や多数の小孔１３を通って木炭等の吸着材Ｋａに接触し、空気中の悪性成分が吸着材Ｋａに吸着され、調湿，防臭，除菌，防虫等の機能が発揮させられる。この場合、収納体１０は木製板で形成されているので、木製板そのものも吸着材Ｋａまでは行かずとも少なからず同様の機能を発揮する。
そして、この場合、収納体１０は、吊下部１１によって吊下させられているので、多数の小孔１３が空気中に露出することになり、良く空気が流通することから、吸着材Ｋａに対する接触効率が良く吸着効率が向上させられる。また、収納体１０は、上開放の開口１２を有しているので、この開口１２から空気の出入りが円滑に行なわれ、より一層吸着材Ｋａに対する接触効率が良く吸着効率が向上させられる。
また、外側基礎３で囲繞される床下空間Ｓの面積の７０％以上が連通状態になっており、この床下空間Ｓで床板４を支持するのは柱状の束２５なので、従来のように内側基礎９によって床下空間Ｓが細かく区画されていないことから、それだけ流通が良くなって改善された雰囲気が縦横に行き来し、それだけ、建物用吸着装置Ｋへの空気の接触効率が良くなり、この点でも、吸着効率が向上させられる。
【００１５】
更に、この状態において、室内で人が歩く等して床板４に振動が伝達されると、この振動が建物用吸着装置Ｋの吊下部１１を介して収納体１０に伝達され、これにより、吸着材Ｋａ同士が擦れ合って、マイナスイオンが発生し、このマイナスイオンによって雰囲気が改良され、調湿，防臭，除菌，防虫等の機能の補足がなされる。この場合、収納体１０は上開放の開口１２を有しているので、吸着材Ｋａの上下方向の移動の拘束が少なくなっており、そのため、吸着材Ｋａが互いに良く擦れ合うことができるようになることから、マイナスイオンの発生効率が向上させられる。
また、吊下部１１は収納体１０に連結される剛性部材としての棒状部材１４で構成されているので、床板４の振動が直接的に伝達され、そのため、振動が確実に伝達されることから吸着材Ｋａが互いに良く擦れ合うことができるようになり、より一層、マイナスイオンの発生効率が向上させられる。
【００１６】
このように、建物用吸着装置Ｋにより、調湿，防臭，除菌，防虫等の機能が発揮されて改良され、更には、マイナスイオンの発生により改良された床下空間Ｓの雰囲気は、床下空間Ｓを流通して外壁２の連通路８から内部へ流入していく。この場合、外側基礎３で囲繞される床下空間Ｓの面積の７０％以上が連通状態になっており、この床下空間Ｓで床板４を支持するのは柱状の束２５なので、従来のように内側基礎９によって床下空間Ｓが細かく区画されていないことから、それだけ流通が良くなって改善された雰囲気が縦横に行き来し、そのため、充分に改善された雰囲気を取り込むことができるようになる。
更に、床板４には多数の通孔２８が形成されているので、この通孔２８からも改善された雰囲気が内部に侵入でき、それだけ、充分に改善された雰囲気を取り込むことができるようになる。
更にまた、床下空間Ｓの地面には外側基礎３に連続するコンクリート製地盤２０が形成されているので、それだけ、床下空間Ｓの密閉性が良く、漏れがほとんどないことから、この点でも、充分に改善された雰囲気を内部に取り込むことができるようになる。
【００１７】
図７には、本発明の別の実施の形態に係る建物用吸着装置Ｋを示している。これは、上記と略同様に構成されるが、上記と異なって、吊下部１１がコイルスプリング３０で構成されている。コイルスプリング３０の一端には収納体１０の開口１２の中央に架設される架設棒１５が設けられ、他端にビス１６で構成部材に取付けられる取付け板１７が設けられている。
このため、床板４の振動により、コイルスプリング３０が上下に伸縮することになり、収納体１０が上下に良く動くことになるので、それだけ、相対的に収納体１０を空気が良く流通することになり、吸着材Ｋａに対する接触効率が向上させられる。また、収納体１０が上下に良く動くことになるので、吸着材Ｋａが互いに良く擦れ合うことができるようになり、より一層、マイナスイオンの発生効率が向上させられる。
【００１８】
また、上記実施の形態において、吸着材Ｋａは適宜交換して良い。この場合、収納体１０は上開放の開口１２を有しているので、開口１２から吸着材Ｋａを出し入れし易く、そのため、吸着材Ｋａの交換が容易に行なわれる。
尚、上記実施の形態に係る建物用吸着装置Ｋは、床下に設けた場合で説明したが、必ずしもこれに限定されるものではなく、天井裏や室内等建物内であればどのような場所に設置しても良いことは勿論である。
【００１９】
【発明の効果】
以上説明したように、本発明の建物用吸着装置によれば、木炭等の吸着材を収納する収納体と、収納体を建物の構成部材に吊下する吊下部とを備え、収納体を、上開放の開口を有した箱状に形成したので、空気が収納体の開口を通って木炭等の吸着材に接触し、空気中の悪性成分を吸着材に吸着させ、調湿，防臭，除菌，防虫等の機能を発揮させることができる。また、建物の構成部材からの振動を吊下部を介して収納体に伝達し、これにより、吸着材同士を擦れ合わせてマイナスイオンを発生せしめ、このマイナスイオンによって雰囲気を改良し、調湿，防臭，除菌，防虫等の機能の補足を行なうことができる。
そして、この空気が流通する際、開口があるので、空気の出入りを円滑に行なわせることができ、吸着材に対する接触効率を良くして吸着効率を向上させることができる。そのため、調湿，防臭，除菌，防虫等の機能を十二分に発揮させることができる。
また、収納体に多数の小孔を設けた場合には、多数の小孔を通して良く空気が流通することから、吸着材に対する接触効率が良く吸着効率を向上させることができる。
更に、収納体を木製板で形成した場合には、木製板そのものも吸着材までは行かずとも少なからず同様の機能を発揮することができ、それだけ、吸着効率が向上する。
【００２０】
更にまた、吊下部を剛性部材で構成した場合には、建物の構成部材の振動が直接的に伝達され、そのため、振動が確実に伝達されることから吸着材が互いに良く擦れ合うことができるようになり、より一層、マイナスイオンの発生効率を向上させることができる。
この場合、吊下部を収納体に連結される棒状部材で構成すれば、構造を簡単にして取付を容易にすることができる。
また、吊下部をコイルスプリングで構成した場合には、建物の構成部材からの振動により、コイルスプリングが上下に伸縮することになり、収納体が上下に良く動くことになるので、それだけ、相対的に収納体に良く空気が流通することになり、吸着材に対する接触効率を向上させることができる。また、収納体が上下に良く動くことになるので、吸着材が互いに良く擦れ合うことができるようになり、より一層、マイナスイオンの発生効率を向上させることができる。
【００２１】
また、本発明の建物の床下構造によれば、建物の外壁に対応して地面に立設されるコンクリート製の枠状の外側基礎に設けられる床板の下側の床下空間を略密閉状態にし、外壁に床下空間に連通する連通路を形成して床下空間の空気を連通路に流通可能にするとともに、床下空間に木炭等の吸着材が収納された吸着装置を配設し、外側基礎で囲繞される床下空間の面積の７０％以上を連通状態にし、連通状態の床下空間に対応する床板を柱状の多数の束で支持したので、床下において、空気が木炭等の吸着材に接触し、空気中の悪性成分を吸着材に吸着させ、調湿，防臭，除菌，防虫等の機能を発揮させることができる。
そして、外側基礎で囲繞される床下空間の面積の７０％以上が連通状態になっており、この床下空間で床板を支持するのは柱状の束なので、従来のように内側基礎によって床下空間が細かく区画されていないことから、それだけ空気の流通が良くなって改善された雰囲気が縦横に行き来し、それだけ、吸着材への空気の接触効率が良くなり、吸着効率を向上させることができる。改善された雰囲気が縦横に行き来することから、充分に改善された雰囲気を取り込むことができるようになる。
【００２２】
また、床板に多数の通孔を形成した場合には、この通孔からも改善された雰囲気が内部に侵入でき、それだけ、充分に改善された雰囲気を取り込むことができるようになる。
更に、吸着装置を床板に吊下した場合には、床下において、吸着装置に対する空気の接触効率が良くなり、より一層、調湿，防臭，除菌，防虫等の機能を発揮させることができる。また、建物の構成部材からの振動を伝達し、これにより、吸着材同士を擦れ合わせてマイナスイオンを発生せしめ、このマイナスイオンによって雰囲気を改良し、調湿，防臭，除菌，防虫等の機能の補足を行なうことができる。
更にまた、床下空間の地面に外側基礎に連続するコンクリート製地盤を形成した場合には、それだけ、床下空間の密閉性が良く、漏れがほとんどないことから、この点でも、充分に改善された雰囲気を内部に取り込むことができるようになる。
また、吸着装置を、木炭等の吸着材を収納する収納体と、収納体を建物の構成部材に吊下する吊下部とを備えて構成し、収納体を、上開放の開口を有した箱状に形成し、収納体に多数の小孔を設けた場合には、上記のように吸着材に対する接触効率を良くして吸着効率を向上させることができる。そのため、調湿，防臭，除菌，防虫等の機能を十二分に発揮させることができる。
【図面の簡単な説明】
【図１】本発明の実施の形態に係る建物用吸着装置及び建物の床下構造を示す断面図である。
【図２】本発明の実施の形態に係る建物用吸着装置を示す斜視図である。
【図３】本発明の実施の形態に係る建物用吸着装置をその取付状態とともに示す断面図である。
【図４】本発明の実施の形態に係る建物用吸着装置及び建物の床下構造を示す部分拡大断面図である。
【図５】本発明の実施の形態に係る建物の床下構造を示す平面図である。
【図６】本発明の実施の形態に係る建物用吸着装置及び建物の床下構造を建物全体とともに示す図５中Ｘ−Ｘ線相当断面図である。
【図７】本発明の別の実施の形態に係る建物用吸着装置をその取付状態とともに示す断面図である。
【図８】従来の建物用吸着装置及び建物の床下構造の一例を示す断面図である。
【図９】従来の建物の床下構造の別の例を示す断面図である。
【図１０】従来の建物の一般的な床下構造の例を示す平面図である。
【符号の説明】
１  建物
２  外壁
３  外側基礎
４  床板
Ｓ  床下空間
７  大引き
８  連通路
９  内側基礎
Ｋ  建物用吸着装置
Ｋａ  吸着材
１０  収納体
１１  吊下部
１２  開口
１３  小孔
１４  棒状部材
１５  架設棒
１６  ビス
１７  取付け板
２０  地盤
２１  浴室
２２  トイレ
２３  補強壁
２４  玄関
２５  束
２６  スタッド金具
２７  土台
２８  通孔
２９  内装材
３０  コイルスプリング
【図１】
0003699922.tif 000002
【図２】
0003699922.tif 000003
【図３】
0003699922.tif 000004
【図４】
0003699922.tif 000005
【図５】
0003699922.tif 000006
【図６】
0003699922.tif 000007
【図７】
0003699922.tif 000008
【図８】
0003699922.tif 000009
【図９】
0003699922.tif 000010
【図１０】
0003699922.tif 000011